(57)【要約】【課題】ＩＥＥＥ１３９４シリアルバスに接続されるＤＴＶ等のコントローラにおいて、ターゲットであるチューナ機器に対して、そのチューナ機器の受信状況に応じたチャンネル制御を行う。【解決手段】ＳＴＢ（チューナ機器）が自機と初めて接続されたときに（Ｓ１でＹＥＳ）、ＤＴＶ用のチャンネル情報ＤＢに基き、ＳＴＢ用のチャンネル情報ＤＢを作成する（Ｓ２）。そして、ＳＴＢ側で選局処理が行われた際に（Ｓ３でＹＥＳ）、新しいチャンネルの放送が、ＳＴＢにより受信された場合には（Ｓ４でＹＥＳ）、上記ＤＢに新しいチャンネルを追加登録する（Ｓ５）。また、ＤＴＶからの指示に基いてＳＴＢ側で選局処理が行われた際に（Ｓ６でＹＥＳ）、上記ＤＢに登録されているチャンネルの放送が、受信できなかった場合には（Ｓ７でＹＥＳ）、上記ＤＢに登録されたチャンネルから、受信できなかったチャンネルを削除する（Ｓ８）。【選択図】図３
2006128878.tif 000002
【特許請求の範囲】
【請求項１】
ＩＥＥＥ１３９４ネットワーク内のチューナ機能を有するセットトップボックスとＩＥＥＥ１３９４シリアルバスを介して接続され、
ディジタルテレビジョン放送に対応したチューナ回路と、
前記チューナ回路により受信可能なチャンネルについての情報を記憶した自機用チャンネル情報データベース（以下、自機用チャンネル情報ＤＢという）と、
前記セットトップボックスに対して、チャンネルアップ・ダウン操作を含むチャンネル選局指示を行うための選局指示手段と、
前記セットトップボックスに各種コマンド等のデータを送信するためのＩＥＥＥ１３９４インタフェースと、
前記選局指示手段による前記セットトップボックスへのチャンネル選局指示を検知すると、前記セットトップボックスに対して、前記選局指示手段により選局指示された内容に応じたチャンネル制御を行う制御手段とを備えたＩＥＥＥ１３９４シリアルバスに接続されるディジタルテレビジョン受像機において、
前記セットトップボックスが自機と接続されたときに、該セットトップボックスが自機と初めて接続されたことを検知する検知手段と、
前記セットトップボックスが自機と初めて接続されたことが、前記検知手段により検知されたときに、前記自機用チャンネル情報ＤＢに基いて、前記セットトップボックスで受信可能なチャンネルについての情報を記憶したセットトップボックス用チャンネル情報データベース（以下、セットトップボックス用チャンネル情報ＤＢという）を作成するチャンネル情報ＤＢ作成手段と、
前記ＩＥＥＥ１３９４ネットワーク内の、自機を含むいずれかのコントローラ機器からの指示に基いて、前記セットトップボックス側で選局処理が行われた際に、前記セットトップボックス用チャンネル情報ＤＢに受信可能なチャンネルとして登録されていない、新しいチャンネルの放送が、前記セットトップボックスにより受信された場合には、前記セットトップボックス用チャンネル情報ＤＢに登録された受信可能なチャンネルに、前記新しいチャンネルを追加するチャンネル追加手段と、
自機からの指示に基いて前記セットトップボックス側で選局処理が行われた際に、前記セットトップボックス用チャンネル情報ＤＢに登録されている受信可能なはずのチャンネルの放送が、前記セットトップボックスにより受信できなかった場合には、前記セットトップボックス用チャンネル情報ＤＢに登録された受信可能なチャンネルから、前記受信できなかったチャンネルを削除するチャンネル削除手段とをさらに備え、
前記制御手段は、前記セットトップボックスに対して、前記セットトップボックス用チャンネル情報ＤＢに登録された内容に応じたチャンネル制御を行うようにしたことを特徴とするＩＥＥＥ１３９４シリアルバスに接続されるディジタルテレビジョン受像機。
【請求項２】
ＩＥＥＥ１３９４ネットワーク内のチューナ機能を有する機器（以下、チューナ機器という）とＩＥＥＥ１３９４シリアルバスを介して接続され、
ディジタルテレビジョン放送に対応したチューナ回路と、
前記チューナ回路により受信可能なチャンネルについての情報を記憶した自機用チャンネル情報データベース（以下、自機用チャンネル情報ＤＢという）と、
前記チューナ機器へのチャンネル選局指示を行うための選局指示手段と、
前記チューナ機器に各種コマンド等のデータを送信するためのＩＥＥＥ１３９４インタフェースと、
前記選局指示手段による前記チューナ機器へのチャンネル選局指示を検知すると、前記チューナ機器に対して、前記選局指示手段により選局指示された内容に応じたチャンネル制御を行う制御手段とを備えたＩＥＥＥ１３９４シリアルバスに接続されるコントローラ機器において、
前記チューナ機器が自機と接続されたときに、該チューナ機器が自機と初めて接続されたことを検知する検知手段と、
前記チューナ機器が自機と初めて接続されたことが、前記検知手段により検知されたときに、前記自機用チャンネル情報ＤＢに基いて、前記チューナ機器で受信可能なチャンネルについての情報を記憶したチューナ機器用チャンネル情報データベース（以下、チューナ機器用チャンネル情報ＤＢという）を作成するチャンネル情報ＤＢ作成手段と、
前記ＩＥＥＥ１３９４ネットワーク内の、自機を含むいずれかのコントローラ機器からの指示に基いて、前記チューナ機器側で選局処理が行われた際に、前記チューナ機器用チャンネル情報ＤＢに受信可能なチャンネルとして登録されていない、新しいチャンネルの放送が、前記チューナ機器により受信された場合には、前記チューナ機器用チャンネル情報ＤＢに登録された受信可能なチャンネルに、前記新しいチャンネルを追加するチャンネル追加手段とをさらに備えたことを特徴とするＩＥＥＥ１３９４シリアルバスに接続されるコントローラ機器。
【請求項３】
自機からの指示に基いて前記チューナ機器側で選局処理が行われた際に、前記チューナ機器用チャンネル情報ＤＢに登録されている受信可能なはずのチャンネルの放送が、前記チューナ機器により受信できなかった場合には、前記チューナ機器用チャンネル情報ＤＢに登録された受信可能なチャンネルから、前記受信できなかったチャンネルを削除するチャンネル削除手段をさらに備えたことを特徴とする請求項２に記載のＩＥＥＥ１３９４シリアルバスに接続されるコントローラ機器。
【発明の詳細な説明】
【技術分野】
【０００１】
本発明は、セットトップボックス等のチューナ機能を有する機器とＩＥＥＥ１３９４シリアルバスを介して接続可能なディジタルテレビジョン受像機等のコントローラ機器に関する。
【背景技術】
【０００２】
従来、セットトップボックス等のチューナ機能を有する機器（以下、チューナ機器という）とＩＥＥＥ１３９４シリアルバスを介して接続されたディジタルテレビジョン受像機において、自機（ディジタルテレビジョン受像機）からチューナ機器にチャンネル選局指示を行う際には、自機のチューナ回路により受信可能な（はずの）チャンネルについての情報を記憶したチャンネル情報データベース（以下、自機用チャンネル情報ＤＢという）内の情報に基いて、ターゲットであるチューナ機器が受信可能なチャンネルを判定していた。
【０００３】
ところが、上記のチャンネル判定方法では、例えば、自機用チャンネル情報ＤＢに、チャンネル番号２０２（物理チャンネル番号２、サブチャンネル番号０２）が受信可能なチャンネルとして登録されている場合には、チューナ機器に対して、前回、チャンネル番号２０２へのチャンネル切り換えを行うためのチャンネル選局コマンドを送信した際に、チューナ機器から受信不可能を意味するレスポンスが返ってきた場合でも、次に、チャンネル番号２０１の放送を受信している状態で、ユーザによりチャンネルアップキーが押されると、チューナ機器に対して、再度、チャンネル番号２０２に切り換えるためのチャンネル選局コマンドを送信してしまう。すなわち、従来のチャンネル判定方法では、チューナ機器に対して、受信不可能なチャンネルに切り換えるためのチャンネル選局コマンドを繰り返して送信してしまう。また、上記のように、自機用チャンネル情報ＤＢ内の情報に基いて、ターゲットであるチューナ機器が受信可能なチャンネルを判定しているため、例えば、自機用チャンネル情報ＤＢに、チャンネル番号２０４（物理チャンネル番号２、サブチャンネル番号０４）が受信可能なチャンネルとして登録されていない場合には、チューナ機器が、実際にはチャンネル番号２０４の放送を受信することができる場合でも、ユーザによるチャンネルアップキー又はチャンネルダウンキーの操作により、チューナ機器に対してチャンネル番号２０４に切り換えるためのチャンネル選局コマンドを送信することができない。
【０００４】
ところで、ホームネットワークの分野において、ネットワーク内のチューナを効果的に制御するために、送信されてくるアイテム内に含まれる少なくとも１つのコンポーネント又はイベントにアクセスするようにしたものが知られている（特許文献１参照）。また、カードチューナ対応のディジタル放送受信装置の分野において、機種変更等に柔軟に対応するために、カードチューナのメモリから、ＵＩデータ及びＵＩ設定データの取得を行うようにしたものが知られている（特許文献２参照）。さらにまた、複数のチューナを有するテレビジョン受像機の分野において、ユーザが予約した文字多重放送の番組を常に最新のものに更新することができるようにするために、複数のチューナのうち、使用されていないチューナを、常に文字多重放送処理部に接続するようにしたものが知られている（特許文献３参照）。しかし、上記特許文献１乃至３に示される発明では、上記の問題を解決することはできない。
【特許文献１】特開２０００−３５７９７６号公報
【特許文献２】特開２００４−５６６５４号公報
【特許文献３】特開平５−３２８３１９号公報
【発明の開示】
【発明が解決しようとする課題】
【０００５】
本発明は、上記の問題を解決するためになされたものであり、ターゲットであるチューナ機器に対して、そのチューナ機器の受信状況に応じたチャンネル制御を行うことが可能なＩＥＥＥ１３９４シリアルバスに接続されるディジタルテレビジョン受像機、及びＩＥＥＥ１３９４シリアルバスに接続されるコントローラ機器を提供することを目的とする。
【課題を解決するための手段】
【０００６】
上記目的を達成するために、請求項１の発明は、ＩＥＥＥ１３９４ネットワーク内のチューナ機能を有するセットトップボックスとＩＥＥＥ１３９４シリアルバスを介して接続され、ディジタルテレビジョン放送に対応したチューナ回路と、前記チューナ回路により受信可能なチャンネルについての情報を記憶した自機用チャンネル情報データベース（以下、自機用チャンネル情報ＤＢという）と、前記セットトップボックスに対して、チャンネルアップ・ダウン操作を含むチャンネル選局指示を行うための選局指示手段と、前記セットトップボックスに各種コマンド等のデータを送信するためのＩＥＥＥ１３９４インタフェースと、前記選局指示手段による前記セットトップボックスへのチャンネル選局指示を検知すると、前記セットトップボックスに対して、前記選局指示手段により選局指示された内容に応じたチャンネル制御を行う制御手段とを備えたＩＥＥＥ１３９４シリアルバスに接続されるディジタルテレビジョン受像機において、前記セットトップボックスが自機と接続されたときに、該セットトップボックスが自機と初めて接続されたことを検知する検知手段と、前記セットトップボックスが自機と初めて接続されたことが、前記検知手段により検知されたときに、前記自機用チャンネル情報ＤＢに基いて、前記セットトップボックスで受信可能なチャンネルについての情報を記憶したセットトップボックス用チャンネル情報データベース（以下、セットトップボックス用チャンネル情報ＤＢという）を作成するチャンネル情報ＤＢ作成手段と、前記ＩＥＥＥ１３９４ネットワーク内の、自機を含むいずれかのコントローラ機器からの指示に基いて、前記セットトップボックス側で選局処理が行われた際に、前記セットトップボックス用チャンネル情報ＤＢに受信可能なチャンネルとして登録されていない、新しいチャンネルの放送が、前記セットトップボックスにより受信された場合には、前記セットトップボックス用チャンネル情報ＤＢに登録された受信可能なチャンネルに、前記新しいチャンネルを追加するチャンネル追加手段と、自機からの指示に基いて前記セットトップボックス側で選局処理が行われた際に、前記セットトップボックス用チャンネル情報ＤＢに登録されている受信可能なはずのチャンネルの放送が、前記セットトップボックスにより受信できなかった場合には、前記セットトップボックス用チャンネル情報ＤＢに登録された受信可能なチャンネルから、前記受信できなかったチャンネルを削除するチャンネル削除手段とをさらに備え、前記制御手段は、前記セットトップボックスに対して、前記セットトップボックス用チャンネル情報ＤＢに登録された内容に応じたチャンネル制御を行うようにしたものである。
【０００７】
請求項２の発明は、ＩＥＥＥ１３９４ネットワーク内のチューナ機能を有する機器（以下、チューナ機器という）とＩＥＥＥ１３９４シリアルバスを介して接続され、ディジタルテレビジョン放送に対応したチューナ回路と、前記チューナ回路により受信可能なチャンネルについての情報を記憶した自機用チャンネル情報データベース（以下、自機用チャンネル情報ＤＢという）と、前記チューナ機器へのチャンネル選局指示を行うための選局指示手段と、前記チューナ機器に各種コマンド等のデータを送信するためのＩＥＥＥ１３９４インタフェースと、前記選局指示手段による前記チューナ機器へのチャンネル選局指示を検知すると、前記チューナ機器に対して、前記選局指示手段により選局指示された内容に応じたチャンネル制御を行う制御手段とを備えたＩＥＥＥ１３９４シリアルバスに接続されるコントローラ機器において、前記チューナ機器が自機と接続されたときに、該チューナ機器が自機と初めて接続されたことを検知する検知手段と、前記チューナ機器が自機と初めて接続されたことが、前記検知手段により検知されたときに、前記自機用チャンネル情報ＤＢに基いて、前記チューナ機器で受信可能なチャンネルについての情報を記憶したチューナ機器用チャンネル情報データベース（以下、チューナ機器用チャンネル情報ＤＢという）を作成するチャンネル情報ＤＢ作成手段と、前記ＩＥＥＥ１３９４ネットワーク内の、自機を含むいずれかのコントローラ機器からの指示に基いて、前記チューナ機器側で選局処理が行われた際に、前記チューナ機器用チャンネル情報ＤＢに受信可能なチャンネルとして登録されていない、新しいチャンネルの放送が、前記チューナ機器により受信された場合には、前記チューナ機器用チャンネル情報ＤＢに登録された受信可能なチャンネルに、前記新しいチャンネルを追加するチャンネル追加手段とをさらに備えたものである。
【０００８】
請求項３の発明は、請求項２に記載のＩＥＥＥ１３９４シリアルバスに接続されるコントローラ機器において、自機からの指示に基いて前記チューナ機器側で選局処理が行われた際に、前記チューナ機器用チャンネル情報ＤＢに登録されている受信可能なはずのチャンネルの放送が、前記チューナ機器により受信できなかった場合には、前記チューナ機器用チャンネル情報ＤＢに登録された受信可能なチャンネルから、前記受信できなかったチャンネルを削除するチャンネル削除手段をさらに備えたものである。
【発明の効果】
【０００９】
請求項１の発明によれば、セットトップボックスが自機と初めて接続されたときに、自機用チャンネル情報ＤＢに基いて、セットトップボックス用チャンネル情報ＤＢが作成される。そして、ＩＥＥＥ１３９４ネットワーク内の、自機を含むいずれかのコントローラ機器からの指示に基いて、セットトップボックス側で選局処理が行われた際に、セットトップボックス用チャンネル情報ＤＢに受信可能なチャンネルとして登録されていない、新しいチャンネルの放送が、セットトップボックスにより受信された場合には、セットトップボックス用チャンネル情報ＤＢに登録された受信可能なチャンネルに、上記の新しいチャンネルが追加される。また、自機からの指示に基いてセットトップボックス側で選局処理が行われた際に、セットトップボックス用チャンネル情報ＤＢに登録されている受信可能なはずのチャンネルの放送が、セットトップボックスにより受信できなかった場合には、セットトップボックス用チャンネル情報ＤＢに登録された受信可能なチャンネルから、受信できなかったチャンネルが削除される。これにより、ディジタルテレビジョン受像機の内部に、ターゲットであるセットトップボックスで受信可能なチャンネルについての最新情報を保持することができるので、該当のセットトップボックスに対して、そのセットトップボックスの受信状況に応じたチャンネル制御を行うことができる。
【００１０】
従って、従来と異なり、該当のセットトップボックスに対して、受信不可能なチャンネルに切り換えるためのチャンネル選局コマンドを繰り返して送信してしまうということがなくなる。また、ディジタルテレビジョン受像機側で受信不可能なチャンネルであっても、該当のセットトップボックスで受信可能なチャンネルについては、ユーザによるチャンネルアップ・ダウン操作により、該当のチャンネルに切り換えるためのチャンネル選局コマンドを、該当のセットトップボックスに送信することができる。
【００１１】
請求項２の発明によれば、チューナ機器が自機と初めて接続されたときに、自機用チャンネル情報ＤＢに基いて、チューナ機器用チャンネル情報ＤＢが作成される。そして、ＩＥＥＥ１３９４ネットワーク内の、自機を含むいずれかのコントローラ機器からの指示に基いて、チューナ機器側で選局処理が行われた際に、チューナ機器用チャンネル情報ＤＢに受信可能なチャンネルとして登録されていない、新しいチャンネルの放送が、チューナ機器により受信された場合には、チューナ機器用チャンネル情報ＤＢに登録された受信可能なチャンネルに、上記の新しいチャンネルが追加される。これにより、コントローラ機器の内部に、ターゲットであるチューナ機器で受信可能なチャンネルについての最新情報を保持することができるので、該当のチューナ機器に対して、そのチューナ機器の受信状況に応じたチャンネル制御を行うことができる。
【００１２】
従って、従来と異なり、コントローラ機器側で受信不可能なチャンネルであっても、該当のチューナ機器で受信可能なチャンネルについては、このチャンネルに切り換えるためのチャンネル選局コマンドを、該当のチューナ機器に送信することができる。
【００１３】
請求項３の発明によれば、自機からの指示に基いてチューナ機器側で選局処理が行われた際に、チューナ機器用チャンネル情報ＤＢに登録されている受信可能なはずのチャンネルの放送が、チューナ機器により受信できなかった場合には、チューナ機器用チャンネル情報ＤＢに登録された受信可能なチャンネルから、受信できなかったチャンネルが削除される。従って、従来と異なり、該当のチューナ機器に対して、受信不可能なチャンネルに切り換えるためのチャンネル選局コマンドを繰り返して送信してしまうということがなくなる。
【発明を実施するための最良の形態】
【００１４】
本発明を実施するための最良の形態について図面を参照して説明する。本発明は、セットトップボックス等のチューナ機能を有する機器とＩＥＥＥ１３９４シリアルバスを介して接続可能なディジタルテレビジョン受像機等のコントローラ機器に関するものである。以下の実施形態では、本発明をディジタルテレビジョン受像機に適用した場合の例について説明する。なお、以下に記載した実施形態は、本発明を網羅するものではなく、本発明は、下記の形態だけに限定されない。
【００１５】
図１は、本実施形態によるディジタルテレビジョン受像機と、このディジタルテレビジョン受像機に接続されたセットトップボックス、ディジタルテレビジョン受像機、及びＡＶＨＤＤの外観を示す。ディジタルテレビジョン受像機１、２（以下、ＤＴＶという）は、地上波ディジタルテレビジョン放送の受信が可能なチューナ回路を内蔵している。ＤＴＶ１、２は、セットトップボックス３（以下、ＳＴＢという）及びＡＶＨＤＤ４に対するコントローラ機器（以下、コントローラと略す）としての役割を果たし得る。また、ＳＴＢ３も、地上波ディジタルテレビジョン放送の受信が可能なチューナ回路を内蔵しており、受信した放送信号の中からユーザにより選択されたチャンネルの放送信号を出力する。ＡＶＨＤＤ４は、ＩＥＥＥ１３９４用の制御コマンドによってのみ録画や再生を行うことが可能なタイプのハードディスクレコーダである。また、ＤＴＶ１とＳＴＢ３との間、ＳＴＢ３とＤＴＶ２との間、及びＤＴＶ２とＡＶＨＤＤ４との間は、ＩＥＥＥ１３９４シリアルバスケーブル５を用いて接続されている。すなわち、ＤＴＶ１、２とＳＴＢ３とＡＶＨＤＤ４とは、ＩＥＥＥ１３９４ネットワーク６を構成している。ユーザは、ＤＴＶ１で、あるチャンネルの放送を視聴しながら、ＤＴＶ１側から、ＳＴＢ３で受信した別のチャンネルの放送をＡＶＨＤＤ４が録画するように指示することができる。この際、コントローラであるＤＴＶ１は、ターゲットであるＳＴＢ３に対して、チャンネルを切り換えるためのコマンド（チャンネル選局コマンド）を送信する必要がある。従って、ＤＴＶ１は、ＳＴＢ３で受信可能なチャンネルについての情報を自機内に保持しておくことが望ましい。
【００１６】
次に、図２を参照して、上記のＤＴＶ１とＳＴＢ３の電気的ブロック構成について説明する。ＤＴＶ１は、アンテナ５１と接続されており、地上波ディジタルテレビジョン放送受信用のチューナ回路１１と、チューナ回路１１で受信したトランスポートストリームの中からユーザにより選択された番組のビデオパケットやオーディオパケットを抽出するＤＥＭＵＸ１２と、ＤＥＭＵＸ１２から送られたＭＰＥＧ圧縮されたビデオパケットやオーディオパケットをデコードして映像信号や音声信号を再生するＭＰＥＧデコーダ１３と、再生された映像信号に文字情報等の信号を重畳させるオンスクリーンディスプレイ部１４（以下、ＯＳＤ部という）と、映像信号を再生表示するためのモニタ部１５とを有している。モニタ部１５は、再生された映像を表示するための画面１６と、再生された音声を出力するためのスピーカ１７とから構成されている。また、ＤＴＶ１は、装置全体の制御を行うためのマイクロプロセッサ１０（制御手段、検知手段、チャンネル情報ＤＢ作成手段、チャンネル追加手段、チャンネル削除手段）と、各種データを記憶するためのメモリ１８と、バス５０上の他の接続機器との間でデータの送受信を行うためのＩＥＥＥ１３９４インタフェース１９（以下、インタフェースという）と、リモコン３０から送信された赤外線信号を受信する赤外線信号受信部２０とを有している。メモリ１８には、バス５０上の自ノード及び他ノードに関する各種の情報を格納したレジスタ空間２１、チューナ回路１１により受信可能なチャンネルについての情報を記憶した、ＤＴＶ１用のチャンネル情報データベース（ＤＢ）２４（請求項における自機用チャンネル情報ＤＢ）、ＳＴＢ３で受信可能なチャンネルについての情報を記憶したＳＴＢ３用のチャンネル情報データベース（ＤＢ）２５（請求項におけるセットトップボックス用チャンネル情報ＤＢ）、このＳＴＢ３用のチャンネル情報ＤＢ２５の作成と更新を行うためのプログラムであるチャンネル情報作成更新ＰＧ２２、及びＳＴＢ３に対するチャンネル選局指示を行う際におけるチャンネル制御用のプログラムであるチャンネル制御ＰＧ２３が格納されている。
【００１７】
リモコン３０（選局指示手段）は、各種のキーからなるキー部３５と赤外線信号発信部３１とを有している。キー部３５には、電源キー３３、数字入力用のキー３４、カーソルキー３６に加えて、各種メニューを表示するためのメニューキー３２が配設されている。カーソルキー３６には、チャンネルアップキー３７とチャンネルダウンキー３８とが含まれている。
【００１８】
また、上記のＳＴＢ３は、装置全体の制御を行うマイクロプロセッサ４０を備えている。このマイクロプロセッサ４０には、チューナ回路４１、ＤＥＭＵＸ４２、ＩＥＥＥ１３９４インタフェース４４（以下、インタフェースと略す）、赤外線信号受信部４５、表示部４６、及びメモリ４７が接続されている。
【００１９】
上記のチューナ回路４１は、地上波ディジタルテレビジョン放送を受信可能であり、アンテナ５１を介して受信した放送信号の中からユーザにより選択されたチャンネルの放送信号を抽出する。ＤＥＭＵＸ４２は、チューナ回路４１で受信したトランスポートストリームの中からユーザにより選択された番組のビデオパケットやオーディオパケットを抽出する。インタフェース４４は、バス５０上の他の装置との間でデータを送受信するためのインタフェース用の回路である。赤外線信号受信部４５は、リモコン４３から送信された赤外線信号形式の指示信号を受信し、その指示信号を通常のディジタル信号に変換してマイクロプロセッサ４０に送る。表示部４６は、各種のメッセージ等を表示するためのものである。メモリ４７には、バス５０上の自ノード及び他ノードに関する各種の情報を格納したレジスタ空間４８や、自機（ＳＴＢ３）で受信可能なチャンネルについての情報を記憶したチャンネル情報ＤＢ４９等のデータが格納されている。リモコン４３については、ＤＴＶ１のリモコン３０と同様な構成であるので、説明を省略する。
【００２０】
なお、図１中のＤＴＶ２は、上記のＤＴＶ１と基本的に同じ構成であるので、その構成についての説明を省略する。
【００２１】
次に、図３のフローチャートを参照して、上記のＤＴＶ１によるＳＴＢ３用のチャンネル情報ＤＢ２５の作成・更新処理について説明する。ＤＴＶ１のマイクロプロセッサ１０は、ＩＥＥＥ１３９４ネットワーク６にＳＴＢ３が接続されると（バス５０を介してＳＴＢ３が自機と接続されると）、ＳＴＢ３から送信されたＳＴＢ３のＧＵＩＤ等に基いて、このＳＴＢ３が自機（ＤＴＶ１）と初めて接続されたか否かを検知する。そして、このＳＴＢ３が、ＤＴＶ１と初めて接続されたときには（Ｓ１でＹＥＳ）、メモリ１８に格納された自機（ＤＴＶ１）用のチャンネル情報ＤＢ２４に基いて、ＳＴＢ３で受信可能なチャンネルについての情報を記憶した、ＳＴＢ３用のチャンネル情報ＤＢ２５を作成して（Ｓ２）、メモリ１８に格納する。
【００２２】
この後、ＤＴＶ１のマイクロプロセッサ１０は、ＳＴＢ３側の電源がオンの状態であるときは、ＳＴＢ３側でどのチャンネルの放送が受信されているかを常にポーリングしておく。そして、ＩＥＥＥ１３９４ネットワーク６内の、自機（ＤＴＶ１）を含むいずれかのコントローラからの指示に基いて、ＳＴＢ３側で選局処理が行われると（Ｓ３でＹＥＳ）、ＤＴＶ１のマイクロプロセッサ１０は、ＳＴＢ３用のチャンネル情報ＤＢ２５に受信可能なチャンネルとして登録されていない、新しいチャンネルの放送が、ＳＴＢ３により受信された場合には（Ｓ４でＹＥＳ）、ＳＴＢ３用のチャンネル情報ＤＢ２５に登録された受信可能なチャンネルに、上記の新しいチャンネルを追加する（Ｓ５）。
【００２３】
また、自機（ＤＴＶ１）からの選局指示に基いてＳＴＢ３側で選局処理が行われた際に（Ｓ６でＹＥＳ）、ＳＴＢ３用のチャンネル情報ＤＢ２５に登録されている受信可能なはずのチャンネルの放送が、ＳＴＢ３により受信できなかった場合には（Ｓ７でＹＥＳ）、ＤＴＶ１のマイクロプロセッサ１０は、チャンネル情報ＤＢ２５に登録された受信可能なチャンネルから、上記の受信できなかったチャンネルを削除する（Ｓ８）。これに対して、ＩＥＥＥ１３９４ネットワーク６内の、自機（ＤＴＶ１）以外のコントローラ（例えばＤＴＶ２）からの選局指示に基いてＳＴＢ３側で選局処理が行われた際には、ＳＴＢ３用のチャンネル情報ＤＢ２５に登録されている受信可能なはずのチャンネルの放送が、ＳＴＢ３により受信できなかったとしても、ＤＴＶ１のマイクロプロセッサ１０は、ＳＴＢ３用のチャンネル情報ＤＢ２５に登録された受信可能なチャンネルから、上記の受信できなかったチャンネルを削除しない。
【００２４】
次に、図４のフローチャートを参照して、ＤＴＶ１側からＳＴＢ３に対するチャンネル選局指示を行った際に、ＤＴＶ１側で実行されるチャンネル制御処理について説明する。ユーザが、ＤＴＶ１側のリモコン３０を用いて、ＳＴＢ３に対するチャンネル選局指示を行うと（Ｓ１１でＹＥＳ）、ＤＴＶ１のマイクロプロセッサ１０は、この選局指示に、リモコン３０のチャンネルアップキー３７又はチャンネルダウンキー３８（図２参照）が使用されたか否かを判定する（Ｓ１２）。そして、チャンネルアップキー３７又はチャンネルダウンキー３８が使用されていたときには（Ｓ１２でＹＥＳ）、ＤＴＶ１のマイクロプロセッサ１０は、ＳＴＢ３用のチャンネル情報ＤＢ２５に記憶された、ＳＴＢ３で受信可能なチャンネルについての情報に基いて、その時点でＳＴＢ３が受信しているチャンネルの次（又は前）の受信可能なチャンネルを判定し、このチャンネルに切り換えるためのチャンネル選局コマンドをＳＴＢ３へ送信する（Ｓ１３）。これに対して、ＳＴＢ３に対するチャンネル選局指示が、チャンネルアップキー３７又はチャンネルダウンキー３８を使用せず、チャンネル番号を直接入力する方法で行われていたときには（Ｓ１２でＮＯ）、ＤＴＶ１のマイクロプロセッサ１０は、入力された番号のチャンネルが、ＳＴＢ３用のチャンネル情報ＤＢ２５に記憶された、ＳＴＢ３で受信可能なチャンネルである場合には（Ｓ１４でＹＥＳ）、このチャンネルに切り換えるためのチャンネル選局コマンドをＳＴＢ３へ送信する（Ｓ１６）。これに対して、入力された番号のチャンネルが、ＳＴＢ３で受信可能なチャンネルでない場合には（Ｓ１４でＮＯ）、ＤＴＶ１のマイクロプロセッサ１０は、このチャンネルに切り換えるためのチャンネル選局コマンドをＳＴＢ３へ送信せず、その時点でＳＴＢ３が受信しているチャンネルの放送を受信したままで、画面１６上に、該当チャンネルの放送を受信不可能である旨のメッセージをＯＳＤ表示する（Ｓ１５）。ＤＴＶ１のマイクロプロセッサ１０は、自機又はＳＴＢ３の電源が切断されるまで（Ｓ１７でＮＯ）、上記Ｓ１１乃至Ｓ１６の処理を繰り返す。
【００２５】
上記のように、本実施形態のＤＴＶ１によれば、ＳＴＢ３が自機と初めて接続されたときに、ＤＴＶ１用のチャンネル情報ＤＢ２４に基いて、ＳＴＢ３用のチャンネル情報ＤＢ２５を作成する。そして、ＩＥＥＥ１３９４ネットワーク６内の、自機（ＤＴＶ１）を含むいずれかのコントローラからの指示に基いて、ＳＴＢ３側で選局処理が行われた際に、ＳＴＢ３用のチャンネル情報ＤＢ２５に受信可能なチャンネルとして登録されていない、新しいチャンネルの放送が、ＳＴＢ３により受信された場合には、ＳＴＢ３用のチャンネル情報ＤＢ２５に登録された受信可能なチャンネルに、上記の新しいチャンネルを追加する。また、自機（ＤＴＶ１）からの指示に基いてＳＴＢ３側で選局処理が行われた際に、ＳＴＢ３用のチャンネル情報ＤＢ２５に登録されている受信可能なはずのチャンネルの放送が、ＳＴＢ３により受信できなかった場合には、ＳＴＢ３用のチャンネル情報ＤＢ２５に登録された受信可能なチャンネルから、受信できなかったチャンネルを削除する。これにより、ＤＴＶ１の内部に、ターゲットであるＳＴＢ３で受信可能なチャンネルについての最新情報を保持することができるので、ＳＴＢ３に対して、ＳＴＢ３の受信状況に応じたチャンネル制御を行うことができる。
【００２６】
従って、従来と異なり、ＳＴＢ３に対して、受信不可能なチャンネルに切り換えるためのチャンネル選局コマンドを繰り返して送信してしまうことがなくなる。また、ＤＴＶ１側で受信不可能なチャンネルであっても、ＳＴＢ３で受信可能なチャンネルについては、該当のチャンネルに切り換えるためのチャンネル選局コマンドを、ＳＴＢ３に送信することができる。
【００２７】
なお、本発明は、上記実施形態に限られるものではなく、様々な変形が可能である。例えば、上記の実施形態では、本発明をＤＴＶに適用した場合の例を示したが、本発明の適用対象はこれに限られず、ＳＴＢ等のコントローラ機器であってもよい。また、上記の実施形態では、チャンネル切換指示の対象となるチューナ機能を有する機器がＳＴＢである場合の例を示したが、上記のチューナ機能を有する機器は、これに限られず、例えば、ＤＴＶであってもよいし、チューナ内蔵タイプのディジタルＶＴＲ（Video Tape Recorder）等であってもよい。
【図面の簡単な説明】
【００２８】
【図１】本発明の一実施形態に係るＤＴＶと、このＤＴＶに接続されたＳＴＢ、ＤＴＶ、及びＡＶＨＤＤの外観を示す斜視図。
【図２】上記ＤＴＶとＳＴＢの電気的ブロック構成図。
【図３】上記ＤＴＶによるＳＴＢ用のチャンネル情報ＤＢの作成・更新処理を示すフローチャート。
【図４】上記ＤＴＶからＳＴＢに対するチャンネル選局指示を行った際に、ＤＴＶ側で実行されるチャンネル制御処理を示すフローチャート。
【符号の説明】
【００２９】
１    ＤＴＶ（ディジタルテレビジョン受像機、コントローラ機器）
３    ＳＴＢ（セットトップボックス、チューナ機器）
６    ＩＥＥＥ１３９４ネットワーク
１０  マイクロプロセッサ（制御手段、検知手段、チャンネル情報ＤＢ作成手段、チャンネル追加手段、チャンネル削除手段）
１９  ＩＥＥＥ１３９４インタフェース
２４  チャンネル情報ＤＢ（自機用チャンネル情報ＤＢ）
２５  チャンネル情報ＤＢ（セットトップボックス用チャンネル情報ＤＢ）
３０  リモコン（選局指示手段）
５０  バス（ＩＥＥＥ１３９４シリアルバス）
【図１】
2006128878.tif 000003
【図２】
2006128878.tif 000004
【図３】
2006128878.tif 000005
【図４】
2006128878.tif 000006